(57)【特許請求の範囲】
【請求項１】
室内空間をキッチン側とダイニング側とに仕切るように配置される対面式のキッチン台であって、
前記キッチン台の上面には、該上面よりも上方の空間の少なくとも一部をキッチン側とダイニング側とに仕切るように配置される仕切部材が立設され、前記仕切部材は、該仕切部材におけるキッチン側および／またはダイニング側の面に表示部が臨むように配置された表示器を備え、前記キッチン台の上面における前記仕切部材の立設位置またはその近傍位置に、前記表示器の配線挿通用の開口部が形成されていることを特徴とする表示器を備えたキッチン台。
【請求項２】
前記仕切部材は、前記キッチン台の上面に配置された加熱機器および／またはシンクの近傍に立設されていることを特徴とする請求項１に記載の表示器を備えたキッチン台。
【請求項３】
前記仕切部材における前記表示部よりも表面側に、該表示部を保護する保護パネルが設けられていることを特徴とする請求項１または２に記載の表示器を備えたキッチン台。
【請求項４】
前記保護パネルには、前記仕切部材の内部への熱の伝導を防止する熱遮断手段が設けられていることを特徴とする請求項３に記載の表示器を備えたキッチン台。
【請求項５】
前記仕切部材は、その内部が中空状に構成され、該仕切部材の内部に前記表示器が配置されているとともに、該仕切部材におけるキッチン側の面以外の所定箇所に放熱孔が形成されていることを特徴とする請求項１ないし４のいずれかに記載の表示器を備えたキッチン台。
【請求項６】
前記仕切部材の上端部が、加熱機器の上方に配置されるレンジフードの近傍位置まで延設されるとともに、該仕切部材の上端部に前記放熱孔が形成されていることを特徴とする請求項５に記載の表示器を備えたキッチン台。
【請求項７】
前記表示部が前記仕切部材のキッチン側の面に設けられるとともに、該仕切部材のダイニング側の面は、非透光性の白色に着色されていることを特徴とする請求項１ないし６のいずれかに記載の表示器を備えたキッチン台。
【請求項８】
前記表示器に接続されるスピーカの放音部が、前記キッチン台の側面に形成されていることを特徴とする請求項１ないし７のいずれかに記載の表示器を備えたキッチン台。
【発明の詳細な説明】
【技術分野】
【０００１】
本発明は、室内空間をキッチン側とダイニング側とに仕切るように配置される対面式のキッチン台に係わり、特にテレビやパソコン等の表示器を備えたキッチン台に関する。
【背景技術】
【０００２】
従来、キッチン台の使用者が、調理作業を行いながらテレビ等を見ることができるようにするために、キッチン台に近接した壁面に凹部を設け、この凹部内にテレビやパソコン等のディスプレイ（表示器）を壁面と面一になるように収納させたものがある（例えば、特許文献１参照）。
【０００３】
また、料理教室等で使用される移動可能な調理キャビネット（キッチン台）の調理台の側端部に、液晶パネル（表示器）を設け、この液晶パネルに調理作業の内容が工程順に表示されるようにしたものもある（例えば、特許文献２参照）。
【０００４】
【特許文献１】特開２００１−２５２１４０号公報（第３頁、第１図）
【特許文献２】特開２００４−１２１５９０号公報（第５頁、第１図）
【発明の開示】
【発明が解決しようとする課題】
【０００５】
しかしながら、特許文献１に記載のキッチン台にあっては、背面が壁面に当接するように配置されているため、ディスプレイ（表示器）を壁面に設置することができるが、設置したい箇所に窓や食器棚等が予め設けられていると、所望の位置に設置できないことがあるばかりか、施工が大がかりになるといった問題があった。
【０００６】
また、特許文献２に記載の調理台にあっては、上記特許文献１に記載されているような壁面がキッチン台の背面側に存在しないため、調理台（キッチン台）上に液晶パネル（表示器）を直接設置しているが、このような場合、設置用の支持部材等を別途用意する必要があるばかりか、調理時に発生する熱や水等により液晶パネルが汚れたり、調理具との接触により損傷する虞があった。
【０００７】
本発明は、このような問題点に着目してなされたもので、調理時に発生する熱や水等により表示器本体が汚れたり、調理具との接触により損傷すること等がなく、かつ表示部を見やすい位置に設置することができる表示器を備えたキッチン台を提供することを目的とする。
【課題を解決するための手段】
【０００８】
前記課題を解決するために、本発明の請求項１に記載の表示器を備えたキッチン台は、
室内空間をキッチン側とダイニング側とに仕切るように配置される対面式のキッチン台であって、
前記キッチン台の上面には、該上面よりも上方の空間の少なくとも一部をキッチン側とダイニング側とに仕切るように配置される仕切部材が立設され、前記仕切部材は、該仕切部材におけるキッチン側および／またはダイニング側の面に表示部が臨むように配置された表示器を備え、前記キッチン台の上面における前記仕切部材の立設位置またはその近傍位置に、前記表示器の配線挿通用の開口部が形成されていることを特徴としている。
この特徴によれば、表示器が仕切部材に設けられることで、表示器をキッチン台に設置するための支持部材等を別途用いることなく、表示部を見やすい位置に表示器を設置することができるばかりか、表示器の周囲が仕切部材により被覆されるため、表示器本体の汚れや調理具との接触による破損等が効果的に防止される。そして表示器から延出される配線を、外部に露呈させることなくキッチン台の内部に体裁よく配線することができるとともに、水や油等が配線にかからず漏電の防止にもなる。
【０００９】
本発明の請求項２に記載の表示器を備えたキッチン台は、請求項１に記載の表示器を備えたキッチン台であって、
前記仕切部材は、前記キッチン台の上面に配置された加熱機器および／またはシンクの近傍に立設されていることを特徴としている。
この特徴によれば、仕切部材により、加熱機器からの熱気やシンクの水撥ねを確実に防止されるとともに、使用者が、調理作業中に最も多く使用する加熱機器および／またはシンクに居ながら表示部を見ることができる。
【００１１】
本発明の請求項３に記載の表示器を備えたキッチン台は、請求項１または２に記載の表示器を備えたキッチン台であって、
前記仕切部材における前記表示部よりも表面側に、該表示部を保護する保護パネルが設けられていることを特徴としている。
この特徴によれば、保護パネルによってキッチンで発生する熱気や水、油等から表示部を保護できる。
【００１２】
本発明の請求項４に記載の表示器を備えたキッチン台は、請求項３に記載の表示器を備えたキッチン台であって、
前記保護パネルには、前記仕切部材の内部への熱の伝導を防止する熱遮断手段が設けられていることを特徴としている。
この特徴によれば、キッチンで発生する熱から表示部を保護できる。
【００１３】
本発明の請求項５に記載の表示器を備えたキッチン台は、請求項１ないし４のいずれかに記載の表示器を備えたキッチン台であって、
前記仕切部材は、その内部が中空状に構成され、該仕切部材の内部に前記表示器が配置されているとともに、該仕切部材におけるキッチン側の面以外の所定箇所に放熱孔が形成されていることを特徴としている。
この特徴によれば、表示部が中空状を成す仕切部材の内部に配置されることで、表示部を仕切部材によって保護できるとともに、この仕切部材に放熱孔を形成することで、表示部が発する熱を仕切部材の外部に放出でき、かつ放熱孔を仕切部材のキッチン側の面以外の所定箇所に形成することで、放熱孔からの熱気や水、油等の内部への進入を防止できる。
【００１４】
本発明の請求項６に記載の表示器を備えたキッチン台は、請求項５に記載の表示器を備えたキッチン台であって、
前記仕切部材の上端部が、加熱機器の上方に配置されるレンジフードの近傍位置まで延設されるとともに、該仕切部材の上端部に前記放熱孔が形成されていることを特徴としている。
この特徴によれば、表示器から発生する熱を換気扇によって強制的に仕切部材の外部に放出できるようになる。
【００１５】
本発明の請求項７に記載の表示器を備えたキッチン台は、請求項１ないし６のいずれかに記載の表示器を備えたキッチン台であって、
前記表示部が前記仕切部材のキッチン側の面に設けられるとともに、該仕切部材のダイニング側の面は、非透光性の白色に着色されていることを特徴としている。
この特徴によれば、仕切部材のダイニング側の面を液晶プロジェクタ等の表示用のスクリーンとして使用できる。
【００１６】
本発明の請求項８に記載の表示器を備えたキッチン台は、請求項１ないし７のいずれかに記載の表示器を備えたキッチン台であって、
前記表示器に接続されるスピーカの放音部が、前記キッチン台の側面に形成されていることを特徴としている。
この特徴によれば、キッチン台の天板よりも下方側にスピーカの放音部を形成することで、使用者が調理作業したときに、天板上で発生する熱気や水等が放音部から入り込むことを防止でき、スピーカが保護される。
尚、前記キッチン台の側面とは、キッチン台をキッチン側から見たときに左右側を向く面に限らず、キッチン側及びダイニング側を向く面も含む。
【発明を実施するための最良の形態】
【００１７】
本発明に係る表示器を備えたキッチン台を実施するための最良の形態を実施例に基づいて以下に説明する。
【実施例１】
【００１８】
本発明の実施例を図面に基づいて説明すると、先ず図１は、実施例１におけるキッチン台を示す斜視図であり、図２は、パネルを示す分解斜視図であり、図３は、キッチン台に立設されたパネルを示す縦断側面図である。以下、図１および図２の左下側をキッチン台の正面側（前方側）とし、図３の左側をキッチン台の正面側として説明する。
【００１９】
図１の符号１は、室内空間をキッチン側とダイニング側とに仕切るように配置されるキッチン台１であり、このキッチン台１の正面側はキッチン空間となっているとともに、キッチン台１の背面側はダイニングテーブル２等が配置されたダイニング空間となっている。このキッチン台１は、キッチンに居る使用者がダイニング側に居る人と対面しながら調理作業を行える対面式のキッチン台１となっている。
【００２０】
図１に示すように、キッチン台１の天板３の上面には、本実施例における加熱機器としてのガスコンロ４やシンク５が設けられており、ガスコンロ４の上方には、レンジフード６が設置されている。キッチン台１の天板３におけるガスコンロ４の配置位置後方の後端縁部には、本実施例における仕切部材としての略板状の仕切パネル７が立設されている。
【００２１】
図１に示す仕切パネル７は所定幅、所定高さおよび所定厚さを有し、仕切パネル７の正面側がキッチン側に向き、仕切パネル７の背面側がダイニング側を向くように、天板３の後端縁に沿って立設されており、この仕切パネル７によって、キッチン台１の天板３上の一部の空間がキッチン側とダイニング側とに仕切られている。尚、この仕切パネル７が天板３上におけるガスコンロ４が配置された後端縁に立設されていることで、ガスコンロ４の炎による熱気や水、油等がダイニング側に飛散しないようになっている。
【００２２】
また、仕切パネル７は、調理の際に生じる音や煙等がダイニング側へ伝わることを防止するとともに、ダイニング空間からキッチン空間が見えないようにするための目隠し板としての機能も備えている。
【００２３】
次に、天板３上に立設される仕切パネル７について詳述すると、図２に示すように、仕切パネル７は、その正面側に本実施例における保護パネルとしての２枚のガラス板８を有し、このガラス板８は、その４辺が枠状のフレーム１０により保持されている。また、仕切パネル７は、その背面側にも１枚のガラス板９を有しており、これら正面側の２枚のガラス板８と背面側の１枚のガラス板９との間には、本実施例における表示器としての薄型の液晶ディスプレイ１１が配置されるようになっている。
【００２４】
尚、本実施例においては、表示器の一例として液晶ディスプレイが適用されていたが、プラズマディスプレイやＥＬ（エレクトロ・ルミネッセンス）ディスプレイ等が適用可能であり、これらディスプレイは薄型であることが好ましい。
【００２５】
図３に示すように、フレーム１０の内部には、断面視で略コ字形状を成す挟持部材１２が配置されている。仕切パネル７の正面側に配置される２枚のガラス板８は、その上下および左右の端辺が挟持部材１２によって挟持される。また、フレーム１０は挟持部材１２を覆うように取り付けられる。尚、フレーム１０の内部における挟持部材１２とフレーム１０との間にはスペーサ１３が配置されており、挟持部材１２がフレーム１０内部でぐらつかないようになっている。
【００２６】
更に、図３の部分拡大図に示すように、挟持部材１２には、挟持部材１２の内方側に突出された弾力性を有する挟持爪１４が形成されており、この挟持爪１４によってガラス板８の端縁を前後方向から挟持できる。そのため挟持部材１２によって保持されるガラス板８が前後方向にぐらつかないようになっている。
【００２７】
また、図３の部分拡大図に示すように、挟持部材１２の前後方向の中間部には突出条１５が形成されている。２枚のガラス板８は、この突出条１５を挟むように配置され、ガラス板８同士の間には、突出条１５の厚み分の間隙が形成されてある。
【００２８】
図２に示す液晶ディスプレイ１１は、その表示画面（表示部）がキッチン側の面を構成するガラス板８に臨むように、仕切パネル７の内部に配置されている。また、液晶ディスプレイ１１は、その背面側に配置される取付板１６に取り付けられる。この取付板１６の左右両辺には、正面側に突出するように屈曲された取付部１７が形成されており、この取付部１７にはネジ孔１８が形成されている。また、取付板１６の取付部１７が、正面側に配置されるガラス板８の左右辺を保持するフレーム１０にネジ（図示略）等を用いて取り付けられる。
【００２９】
図２に示すように、ガラス板８の上辺と下辺を保持するフレーム１０には、アタッチメント１９，２０が取り付けられており、このアタッチメント１９，２０には、フレーム１０を嵌合させるための嵌合部２１，２２が形成されている。下辺に配置されるアタッチメント２０は、予めキッチン台１の天板３上にネジ（図示略）等を用いて固定されており、このアタッチメント１９，２０にフレーム１０が嵌合されることで、ガラス板８が天板３上に立設される。尚、各々のアタッチメント１９，２０の嵌合部２１，２２内には、フレーム１０が嵌合部２１，２２内で前後方向にぐらつくことを防ぐための嵌合片２３，２４が設けられている。
【００３０】
また、図２に示すように、仕切パネル７の背面側に配置されるガラス板９は、その上辺と下辺がアタッチメント１９，２０に形成された係合部２５，２６に係合される。アタッチメント１９，２０の係合部２５，２６は、正面側のガラス板８から所定距離離れて形成されており、正面側のガラス板８と背面側のガラス板９との間に液晶ディスプレイ１１を設置できる空間が形成され、仕切パネル７内部が中空状に形成されている。
【００３１】
尚、図２に示すように、仕切パネル７の背面側のガラス板９は、上下のアタッチメント１９，２０が正面側のガラス板８のフレーム１０に嵌合された後に、左右方向からアタッチメント１９，２０の係合部２５，２６の側部からスライド移動により取り付けられるようになっている。
【００３２】
また、図３に示す仕切パネル７の背面側に配置されるガラス板９は、非透光性の白色を成しており、ダイニング側から仕切パネル７を見たときに、仕切パネル７内部の液晶ディスプレイ１１が隠蔽されるようになっている。更に、仕切パネル７の背面側が非透光性の白色であることで、ダイニング側からの見栄えが向上するようになっている。
【００３３】
尚、特に図示はしないが、本実施例におけるダイニング側に、例えば液晶プロジェクタ等を設置し、この液晶プロジェクタの映像を、非透光性の白色を成す仕切パネル７の背面側のガラス板９に投影することで、仕切パネル７を液晶プロジェクタの表示用のスクリーンとしても使用できるようになっている。
【００３４】
また、図２および図３に示すように、上下に配置される各々のアタッチメント１９，２０には、本実施例における放熱孔としての複数のスリット孔２７，２８が形成されている。上方に配置されるアタッチメント１９に形成されたスリット孔２７は、アタッチメント１９の上方側に開口するように形成されるとともに、下方に配置されるアタッチメント２０に形成されたスリット孔２８は、仕切パネル７の背面側（ダイニング側）に開口するように形成されている。このようにスリット孔２７，２８が、仕切パネル７における正面側（キッチン側の面）以外に形成されることにより、キッチンで発生する熱気や水、油等が、スリット孔２７，２８から仕切パネル７の内部に進入しにくいようになっている。
【００３５】
更に、上下各々のアタッチメント１９，２０の左右端部には、サイドカバー２９が接着剤等を用いて接着される。このサイドカバー２９を介して上下辺に配置されるアタッチメント１９，２０同士が連結される。尚、このサイドカバー２９には、所定の段差を有する段部３０が形成されている。このようにサイドカバー２９に段部３０が形成されていることによって、仕切パネル７の厚みを薄く見せることができ、仕切パネル７の見栄えが向上するようになっている。
【００３６】
図３に示す仕切パネル７正面側の下部には、ガスコンロ４で調理作業を行ったときに、油やガスコンロ４の炎の熱等から仕切パネル７を保護するフェンス３１が取り付けられている。フェンス３１は下辺がアタッチメント２０に固着されており、フェンス３１の上部は正面側に傾くようにラウンドされている。このフェンス３１が設けられることによって、仕切パネル７内部に配置されている液晶ディスプレイ１１が、油やガスコンロ４の熱から保護されるとともに、油撥ねによって仕切パネル７の正面側のガラス板８の表面が汚れることが防止される。
【００３７】
更に、最も正面側に配置されるガラス板８は半透過型ガラスで構成されており、仕切パネル７内部の液晶ディスプレイ１１がキッチン側から見えないようになっている。ガラス板８に用いられている半透過型ガラスは、液晶ディスプレイ１１の表示画面に画像が表示されていない場合に、ガラス板８が不透明になるように構成されており、液晶ディスプレイ１１の表示画面に画像が表示され、表示画面が明るくなると、半透過型ガラスで構成されるキッチン側のガラス板８の一部に形成された表示領域に映像が浮かび上がるようになっている。尚、本実施例では、後述するように、ガラス板８の表面にフィルムを貼ることで半透過型ガラスを構成している。更に尚、ガラス板８を形成するガラス自体が半透過性のものを使用してもよい。
【００３８】
また、図３に示すように、正面側に配置される２枚のガラス板８の間に、若干の間隙が形成され、２重のガラス構造が形成されることによって、仕切パネル７の正面側でガスコンロ４等の加熱機器からの熱の伝達が遮断され、仕切パネル７の内部に配置される液晶ディスプレイ１１が保護される。
【００３９】
尚、正面側に配置される２枚のガラス板８の内、外側に配置されるガラス板８の背面側の全面には、本実施例における熱遮断手段としての飛散防止フィルム（図示略）貼られている。このようにガラス板８に飛散防止フィルム（図示略）を貼った場合には、ガラス板８の破損時にガラスの破片が飛散することを防止できる。
【００４０】
また、正面側に配置される２枚のガラス板８の内、内側に配置されるガラス板８の正面側の全面には、本実施例における熱遮断手段としての輻射熱を通過させ難い熱遮断性を有する日照調整・断熱フィルム（図示略）が貼られている。この日照調整・断熱フィルム（図示略）は、可視光の透過率が１５〜３０％程度のものを使用している。このようにガラス板８に日照調整・断熱フィルム（図示略）を貼った場合には、液晶ディスプレイ１１を使用していないときに仕切パネル７の内部が見えずガラス板８が黒っぽい鏡のように見え、液晶ディスプレイ１１の使用時には、ガラス板８を介して表示画面が見えるようになっている。
【００４１】
更に、正面側に配置される２枚のガラス板８の内、内側に配置されるガラス板８の背面側には、本実施例における熱遮断手段としての熱線遮断フィルム（図示略）が貼られている。この熱線遮断フィルム（図示略）は、ガラス板８における液晶ディスプレイ１１の表示画面以外の部位に貼り付けられており、液晶ディスプレイ１１の表示画面のみを仕切パネル７の正面側から見えるようにし、表示画面の以外の部位を隠蔽できるようにしている。
【００４２】
これらの熱遮断手段としての飛散防止フィルム（図示略）、日照調整・断熱フィルム（図示略）、熱線遮断フィルム（図示略）によっても液晶ディスプレイ１１をガスコンロ４の熱から保護することができる。また、このような断熱フィルムの代わりに、ガラス板８自体を熱遮断性を有する素材にて構成してもよい。
【００４３】
また、図３に示すように、仕切パネル７の上端は上方のレンジフード６まで延設され、その上端のアタッチメント１９とレンジフード６の縁辺とは連結されている。そのため仕切パネル７の上下両辺に配置されるアタッチメント１９が強固に固定され、所定重量を有する液晶ディスプレイ１１が内蔵されても仕切パネル７がぐらつかないようになっている。
【００４４】
図３に示すレンジフード６内部には、換気扇３２が配置されており、この換気扇３２と仕切パネル７の上辺に配置されるアタッチメント１９に形成されたスリット孔２７とが、通気ダクト３３を介して通気可能に連通されている。そのためガスコンロ４の使用時に、換気扇３２を作動させると、仕切パネル７内部の空気が吸気され、液晶ディスプレイ１１が発する熱を仕切パネル７の外部に強制的に排気できる。
【００４５】
また、仕切パネル７の内部温度が上昇しても、仕切パネル７内部の熱を換気扇３２によって強制的に放熱させることができる。更に、下方に配置されるアタッチメント２０にもスリット孔２８が形成されているため、仕切パネル７内部に空気が流入し易くなっており、効率的に仕切パネル７内部の空気を排気できるようになっている。
【００４６】
尚、本実施例においてはレンジフード６内部に通気ダクト３３を設けていたが、スリット孔２７がレンジフード６の内部に配置されるようにすれば、特に通気ダクト３３を設けなくても、前述したような作用・効果が得られる。
【００４７】
更に図３に示すように、天板３上におけるアタッチメント２０が固定される固定位置には、天板３の上面側から下面側に貫通する開口孔部３４が形成されており、液晶ディスプレイ１１から延びる配線３５が、この開口孔部３４を介して天板３の下方側に延びるようになっている。このようにすれば、キッチン台１の内部に配線３５を挿通することができ、配線３５がキッチン台１の外部に露呈しないので、キッチン台１の見栄えがよくなるとともに、水や油等が配線３５にかからず漏電の防止にもなる。
【００４８】
尚、配線３５はキッチン台１の内部に設置された本実施例における表示器としてのＴＶチューナ（図示略）や電源ボックス（図示略）や後述するスピーカ３６に接続される。ＴＶチューナ（図示略）や電源ボックス（図示略）やスピーカ３６と、液晶ディスプレイ１１とを別体として設置することで、液晶ディスプレイ１１の施工作業が容易になるとともに、メンテナンスが行い易く、さらに仕切パネル７の軽量化を図ることができる。
【００４９】
尚、開口孔部３４は、少なくとも天板３上におけるアタッチメント２０の前端の位置よりも背面側（ダイニング側）に形成されていればよく、このようにすれば、ガスコンロ４で発生する熱気やシンク５からの水や油等が開口孔部３４に入り込まないようになり、液晶ディスプレイ１１の配線３５を傷めるようなことがなくなる。
【００５０】
更に図１に示すように、キッチン台１の正面側における天板３よりも下方側に配置される側面板である化粧板３７には、本実施例における放音穴としての複数の小穴部３８が形成されており、この小穴部３８が形成された化粧板３７の内面側に液晶ディスプレイ１１と接続されたスピーカ３６が取り付けられており、使用者がキッチンで調理作業しながら液晶ディスプレイ１１の音声を聴くことができる。このように天板３よりも下方側に小穴部３８を設けることで、使用者が調理作業したときに、天板３上で発生する熱気や水等が小穴部から入り込まないようになり、スピーカ３６を保護することができる。
【００５１】
尚、本実施例では、放音穴としての複数の小穴部３８がキッチン台１の側面板である化粧板３７に形成されているが、この側面板はキッチン台１をキッチン側から見たときに、外面が左右側を向く側面板に限らず、外面がキッチン側（正面）またはダイニング側（背面）を向く側面板も含む。また、例えばキッチン台の形状が、下向きコ字形状のゲート型（アーチ型）に構成されたキッチン台である場合において、ゲート型のキッチン台の内側に配置される側面板に複数の小穴部３８が形成されても良い。
【００５２】
以上、本実施例のキッチン台１によれば、表示器の一例としての液晶ディスプレイ１１本体が仕切パネル７に設けられることで、液晶ディスプレイ１１をキッチン台１に設置するための支持部材等を別途用いることなく、表示画面（表示部）を、起立したまま調理する調理者等から見やすい位置、つまり天板３の上方所定高さ位置に液晶ディスプレイ１１を設置することができるばかりか、表示画面の周囲が仕切パネル７により保護されるため、液晶ディスプレイ１１本体の汚れや、調理具との接触による破損等が効果的に防止される。
【００５３】
また、仕切パネル７は前後面にガラス板８，９を有する中空状に形成されており、その内部に液晶ディスプレイ１１が配置されるとともに、液晶ディスプレイ１１の表示画面よりも表面側に２枚のガラス板８が設けられ、該ガラス板８を通して仕切パネル７の内部の表示画面を視認できるように構成されているので、液晶ディスプレイ１１本体全体が、汚れや衝撃等から保護される。
【００５４】
また、ガスコンロ４からの熱気や水、油等がダイニング側に飛散することを防ぐための仕切パネル７を利用して液晶ディスプレイ１１を設置できるので、別途、液晶ディスプレイ１１設置用の仕切パネル７を立設させる必要がないとともに、使用者が調理作業中に最も多く使用するガスコンロ４の近傍に居ながら液晶ディスプレイ１１を見ることができる。
【００５５】
尚、本実施例によれば、ガラス板８が半透過型ガラスで構成されていることにより、液晶ディスプレイ１１を使用しないときには、液晶ディスプレイ１１がガラス板８によって隠蔽され、液晶ディスプレイ１１の使用時には、液晶ディスプレイ１１の表示画面が浮かび上がるようになっているので、仕切パネル７の見栄えを損ねることなく液晶ディスプレイ１１を設置できる。
【００５６】
尚、本実施例のキッチン台１にあっては、液晶ディスプレイ１１の表示画面（表示部）の大きさは、仕切部材７の表面（正面）を形成するガラス板８の大きさよりも小さくなっており、液晶ディスプレイ１１の表示画面の周囲は、ガラス板８によって所定面積の背景が隠蔽され、使用者が液晶ディスプレイ１１の表示画面を見るときに、液晶ディスプレイ１１の背面側にあるダイニング側の背景が見えなくなるので、液晶ディスプレイ１１の表示画面が見やすくなっている。
【００５７】
尚、本実施例では、天板３上におけるガスコンロ４の近傍に立設される仕切パネル７に液晶ディスプレイ１１が設けられていたが、本発明はこれに限定されるものではなく、シンク５の水や油等がダイニング側に飛散することを防ぐために、キッチン台１の天板３上におけるシンク５の配置位置近傍の後端縁に仕切パネル７を立設させるようにしてもよく、このシンク５の近傍に立設した仕切パネル７に液晶ディスプレイ１１を設けることで、使用者がシンク５にて調理作業しているときでも液晶ディスプレイ１１の画面を見られるようにしてもよい。
【実施例２】
【００５８】
次に、実施例２に係る表示器を備えたキッチン台につき、図４を参照して説明する。尚、前記実施例１に示される構成部分と同一構成部分に付いては同一符号を付して重複する説明を省略する。図４は、実施例２におけるキッチン台を示す斜視図である。
【００５９】
図４に示すように、実施例２におけるキッチン台１の天板３上には、ガスコンロ４が配置されており、天板３上におけるガスコンロ４が配置された後端縁には、本実施例における仕切部材としての略板状の仕切パネル７ａが立設されている。また、本実施例における表示器および表示部として液晶ディスプレイ１１ａは、その表示画面（表示部）が背面側（ダイニング側）に臨むように仕切パネル７ａに設けられている。
【００６０】
図４に示す仕切パネル７ａでは、背面側に配置されるガラス板９ａが半透過型ガラスで構成されており、仕切パネル７ａ内部の液晶ディスプレイ１１ａがダイニング側から見えないようになっている。液晶ディスプレイ１１ａの表示画面が表示されると、半透過型ガラスで構成されるダイニング側のガラス板９ａに映像が浮かび上がるようになっている。
【００６１】
更に図４に示すように、キッチン台１の背面側における天板３よりも下方側に配置された化粧板３７ａには、本実施例における放音穴としての複数の小穴部３８ａが形成されており、この小穴部３８ａが形成された化粧板３７ａの内面側に液晶ディスプレイ１１ａと接続されたスピーカ３６ａが取り付けられている。そのためダイニング側に居る人が液晶ディスプレイ１１ａの音声を聴くことができる。このようにキッチン台１の側面の一例である背面側（ダイニング側）の化粧板３７ａに小穴部３８ａを設けることで、熱気や水、油等が小穴部３８ａに入り込みにくくなり、スピーカ３６ａが保護される。
【実施例３】
【００６２】
次に、実施例３に係る表示器を備えたキッチン台につき、図５を参照して説明する。尚、前記実施例１に示される構成部分と同一構成部分に付いては同一符号を付して重複する説明を省略する。図５は、実施例３におけるキッチン台を示す斜視図である。
【００６３】
図５に示すように、実施例３におけるキッチン台１は、キッチンとダイニングとの間に配置されており、キッチン台１の背面側がダイニングとなっているとともに、キッチン台１の側面側にもダイニングが広がっている。
【００６４】
実施例３におけるキッチン台１には、ガスコンロ４の近傍に配置された仕切パネル７の他に、キッチン台１の天板３上におけるシンク５に近接した側端縁に、本実施例における仕切部材としての略板状の側面パネル４１が立設されている。尚、本実施例における表示器および表示部として液晶ディスプレイ１１ｂは、シンク５に近接して配置された側面パネル４１に設けられており、その表示画面（表示部）が側面側（ダイニング側）を向くようになっている。
【００６５】
図５に示す側面パネル４１では、側面側（ダイニング側）に配置されるガラス板９ｂが半透過型ガラスで構成されており、側面パネル４１内部の液晶ディスプレイ１１がダイニング側から見えないようになっている。液晶ディスプレイ１１の表示画面が表示されると、半透過型ガラスで構成されるダイニング側のガラス板９ｂに映像が浮かび上がるようになっている。
【００６６】
キッチン台１の側面側における天板３よりも下方側に配置された化粧板３７ｂには、本実施例における放音穴としての複数の小穴部３８ｂが形成されており、この小穴部３８ｂが形成された化粧板３７ｂの内面側に液晶ディスプレイ１１ｂと接続されたスピーカ３６ｂが取り付けられている。そのためダイニング側に居る人が液晶ディスプレイ１１ｂの音声を聴くことができる。
【００６７】
以上、本発明の実施例を図面により説明してきたが、具体的な構成はこれら実施例に限られるものではなく、本発明の要旨を逸脱しない範囲における変更や追加があっても本発明に含まれる。
【００６８】
例えば、前記実施例では、液晶ディスプレイ１１に、表示器としてのＴＶチューナ（図示略）が接続されており、キッチン台１の使用者が液晶ディスプレイ１１でＴＶを見られるようになっているが、本発明はこれに限定されるものではなく、液晶ディスプレイ１１はＴＶ用のディスプレイに限定されるものではなく、パソコン等のディスプレイであってもよく、キッチン台１の使用者が液晶ディスプレイ１１でインターネットのホームページを見られるようにしたり、調理工程や調理レシピを表示するプログラムの画面を見られるようにしてもよい。
【００６９】
また、前記実施例１〜３では、液晶ディスプレイ１１が仕切パネル７において、キッチン側またはダイニング側のいずれか一方の面から液晶ディスプレイ１１の表示画面が見られるようになっていたが、本発明はこれに限定されるものではなく、２台の液晶ディスプレイを用意し、１台の液晶ディスプレイの表示画面をキッチン側に向けるとともに、もう１台の液晶ディスプレイをダイニング側に向けるように配置し、キッチン側およびダイニング側の面の両方から液晶ディスプレイの表示画面を見られるようにしてもよい。また、使用者が仕切パネル７を天板３から任意に着脱できるようにしてもよい。
【００７０】
尚、前記実施例では、仕切パネル７の正面側のガラス板８が、アタッチメント１９，２０に嵌合され、着脱不能になっているが、本発明はこれに限定されるものではなく、仕切パネル７の正面側のガラス板８を、アタッチメント１９，２０に着脱自在に取り付けてもよく、仕切パネル７の正面側のガラス板８が汚れた場合に、アタッチメント１９，２０からガラス板８を取り外して容易に清掃できるようにしてもよい。また、仕切パネル７の正面側のガラス板８よりも更に正面側に、着脱自在な保護パネルや保護フィルムを設け、容易に清掃できるようにしてもよい。
【００７１】
尚、前記実施例では、液晶ディスプレイ１１を保護するために用いられる保護パネルとして、ガラス製の板部材で構成されたガラス板８が用いられていたが、本発明はこれに限定されるものではなく、ガラス板８以外にも、アクリル樹脂製の板部材や、その他の合成樹脂性の板部材を保護パネルとして使用してもよく、更に、金属製の板部材に複数の小孔を形成したパンチングメタル板を保護パネルとして使用してもよい。
【００７２】
尚、前記実施例１〜３の仕切パネル７にあっては、液晶ディスプレイ１１本体が、表示部をキッチン側またはダイニング側のいずれかの面に臨ませた状態で内設されていたが、表示器は完全に仕切パネル７の内部に収容されていなくてもよく、例えば仕切パネル７におけるキッチン側またはダイニング側のいずれかの面に表示器を凹設し、その表示部のみが仕切パネル７の表面に露呈されるように設けられていてもよい。
【図面の簡単な説明】
【００７３】
【図１】実施例１におけるキッチン台を示す斜視図である。
【図２】パネルを示す分解斜視図である。
【図３】キッチン台に立設されたパネルを示す縦断側面図である。
【図４】実施例２におけるキッチン台を示す斜視図である。
【図５】実施例３におけるキッチン台を示す斜視図である。
【符号の説明】
【００７４】
１                キッチン台
２                ダイニングテーブル
３                天板
４                ガスコンロ（加熱機器）
５                シンク
６                レンジフード
７                仕切パネル（仕切部材）
８，９            ガラス板（保護パネル、熱遮断手段）
１０              フレーム
１１              液晶ディスプレイ（表示器、表示部）
２７，２８        スリット孔（放熱孔）
３１              フェンス
３２              換気扇
３３              通気ダクト
３４              開口孔部（配線用開口部）
３５              配線
３６              スピーカ
３７              化粧板
３８              小穴部（放音穴）
【図１】
0004407954.tif 000002
【図２】
0004407954.tif 000003
【図３】
0004407954.tif 000004
【図４】
0004407954.tif 000005
【図５】
0004407954.tif 000006